(57)【要約】【課題】土木建築工事において、杭部材間に基準糸を張る際、その水平板に釘の打ち直しを行う必要がなく、よって、作業性の向上に貢献することのできる糸張り補助具を提供する。【解決手段】土木建築工事において、複数の杭部材１間に基準糸４を張る際に、杭部材１の水平板３に着脱自在で、かつ、当該水平板３の長手方向に沿ってスライド自在に組付く補助具であって、弾性材製で、底壁１２の前後両端部から縦壁１３を立設した側面略Ｕ字状の弾性基枠１１の各縦壁１３の上端部に外向爪部１４を設ける。また、弾性基枠１１の中央上端部に、基準糸４を固定し、または巻取るための固定巻取部１５を突設すると共に、中央下端部に基準糸４の横ずれを防止するための基準切欠部１６を形成する。【選択図】      図２
2006307550.tif 000002
【特許請求の範囲】
【請求項１】
土木建築工事において，複数の杭部材（１）間に基準糸（４）を張る際に，前記杭部材の水平板（３）に着脱自在で，かつ，該水平板の長手方向に沿ってスライド自在に組付く補助具であって、
弾性材製で，底壁（１２）の前後両端部から縦壁（１３）を立設した側面略Ｕ字状の弾性基枠（１１）の前記各縦壁の上端部に外向爪部（１４）を設け、
前記弾性基枠の中央上端部に，前記基準糸を固定し，または巻取るための固定巻取部（１５）を突設すると共に，中央下端部に前記基準糸の横ずれを防止するための基準切欠部（１６）を形成してなる糸張り補助具。
【請求項２】
土木建築工事において，複数の杭部材（１）間に基準糸（４）を張る際に，前記杭部材の水平板（３）に着脱自在で，かつ，該水平板の長手方向に沿ってスライド自在に組付く補助具であって、
弾性材製で，底壁（１２）の前後両端部から縦壁（１３）を立設した側面略Ｕ字状の弾性基枠（１１）の前記各縦壁の上端部に外向爪部（１４）を設け、
前記弾性基枠の中央上端部に，前記基準糸を固定し，または巻取るための固定巻取部（１５）を突設すると共に，中央下端部に前記基準糸の横ずれを防止するための基準切欠部（１６）を形成し、
前記弾性基枠を構成する縦壁の角端部に，前記基準糸を固定するための固定凹部（１７）を対向して一対設け、
前記一対の固定凹部の中間部に，前記基準糸を切断し，かつ，前記一対の固定凹部に固定した前記基準糸がずれるのを防止するための切断突部（１８）を突設してなる糸張り補助具。
【発明の詳細な説明】
【技術分野】
【０００１】
本発明は、土木建築工事において、例えば、地面に下水道を設置する際、その設置位置の基準となる基準糸を張る作業を補助するための補助具に関するものである。
【背景技術】
【０００２】
従来、例えば、地面に下水道を設置する場合、溝を掘り、その溝に断面Ｕ字形コンクリートを配置するが、その際、地上に、断面Ｕ字形コンクリートの配置位置の基準となる基準糸を張っている。
【０００３】
この基準糸は、地面に適当な間隔をあけて並列状に二本の杭棒を打ち、その杭棒の間に水平板を渡して釘止めした杭部材を、適宜の距離で直列状に複数設置する。そして、各杭部材の水平板の例えば中央部分に釘を打ち、隣接する杭部材の釘との間に基準糸を張り、その基準糸を基準線として断面Ｕ字形コンクリートを設置するものである。
【発明の開示】
【発明が解決しようとする課題】
【０００４】
しかし、こうした従来技術においては、水平板に打ち付けた釘の位置が不適切であると、新たな釘を適切な位置に打ち直さなければならず、作業性が悪くなるといった問題がある。
【０００５】
また、水平板が薄い場合には、新たに打ち付けた釘によって当該水平板が壊れてしまい、釘のみでなく、水平板も新たなものに交換しなければならず、さらに作業性が悪くなってしまう。
【０００６】
本発明はこうした問題に鑑み創案されたもので、土木建築工事において、杭部材間に基準糸を張る際、その水平板に釘の打ち直しを行う必要がなく、よって、作業性の向上に貢献することのできる糸張り補助具を提供することを課題とする。
【課題を解決するための手段】
【０００７】
図１乃至図４を参照して説明する。請求項１に記載の発明は、土木建築工事において、複数の杭部材１間に基準糸４を張る際に、前記杭部材１の水平板３に着脱自在で、かつ、当該水平板３の長手方向に沿ってスライド自在に組付く補助具であって、弾性材製で、底壁１２の前後両端部から縦壁１３を立設した側面略Ｕ字状の弾性基枠１１の前記各縦壁１３の上端部に外向爪部１４を設けてある。
【０００８】
また、前記弾性基枠１１の中央上端部に、前記基準糸４を固定し、または巻取るための固定巻取部１５を突設すると共に、中央下端部に前記基準糸４の横ずれを防止するための基準切欠部１６を形成する。
【０００９】
請求項２に記載の発明は、土木建築工事において、複数の杭部材１間に基準糸４を張る際に、前記杭部材１の水平板３に着脱自在で、かつ、当該水平板３の長手方向に沿ってスライド自在に組付く補助具であって、弾性材製で、底壁１２の前後両端部から縦壁１３を立設した側面略Ｕ字状の弾性基枠１１の前記各縦壁１３の上端部に外向爪部１４を設けた形状に形成する。
【００１０】
また、前記弾性基枠１１の中央上端部に、前記基準糸４を固定し、または巻取るための固定巻取部１５を突設すると共に、中央下端部に前記基準糸４の横ずれを防止するための基準切欠部１６を形成する。
【００１１】
さらに、前記弾性基枠１１を構成する縦壁１３の角端部に、前記基準糸４を固定するための固定凹部１７を対向して一対設け、前記一対の固定凹部１７の中間部に、前記基準糸４を切断し、かつ、前記一対の固定凹部１７に固定した前記基準糸４がずれるのを防止するための切断突部１８を突設する。
【発明の効果】
【００１２】
請求項１に記載の糸張り補助具１０は、弾性材製で、底壁１２の前後両端部から縦壁１３を立設した側面略Ｕ字状の弾性基枠１１の各縦壁１３の上端部に外向爪部１４を設け、また、弾性基枠１１の中央上端部に、基準糸４を固定しまたは巻取るための固定巻取部１５を突設すると共に、中央下端部に基準糸４の横ずれを防止するための基準切欠部１６を形成したので、基準糸を張る際の作業性を高めることができる。
【００１３】
すなわち、この糸張り補助具１０は、手で掴んで弾性基枠１１の上端開口部１１ａを開き、その状態で杭部材１の水平板３を挟むようにして取付ける。そして、隣接する杭部材１の水平板３に同じようにして取付けた補助具１０との間で基準糸４を張る。
【００１４】
この基準糸４は、その一端部を、一方の補助具１０の固定巻取部１５に巻付けて固定し、その下位の基準切欠部１６を通過させ、そのまま隣接する補助部の基準切欠部１６を通過させた後、その上方に位置する固定巻取部１５で巻取って固定する。その後、基準糸４の位置を左右方向にずらす必要が生じた際には、外向爪部１４を掴んで弾性基枠１１の上端開口部１１ａをやや開いた状態とし、水平板３の長手方向に沿ってスライドさせる。
【００１５】
これにより、従来のように水平板３に釘を打ったり、また、基準糸４をずらす必要がある場合に釘を打ち直す必要がない。また、水平板３への取付けも容易であり、当該水平板３に沿って容易にスライドさせることができる。従って、作業性を大幅に向上させることができる。
【００１６】
なお、弾性基枠１１に基準切欠部１６を設け、この基準切欠部１６に基準糸４を通過せることとしており、この弾性基枠１１と水平板３との間には、必然的に、弾性基枠１１の肉厚分の段差が生じるので、ここを通る基準糸４は左右にずれない。また、この基準切欠部１６は、固定巻取部１５の真下に設けているので、基準糸４のずれは、さらに効果的に防止される。
【００１７】
請求項２に記載の糸張り補助具１０は、請求項１に記載の発明と同様に、水平板３に釘を打ったり、打ち直し必要がなく、また、水平板３に対する取付けやスライド移動も容易であるので、基準糸４を張る際の作業性を大幅に向上させることができる。
【００１８】
また、この糸張り補助具１０は、弾性基枠１１を構成する縦壁１３の角端部に、対向して一対の固定凹部１７を設けているので、例えば、基準糸４の両端部または一端部を固定巻取部１５とこの固定凹部１７の両方に巻き付けて固定することによって、より確実に固定することができる。
【００１９】
また、当該一対の固定凹部１７の中間部に切断突部１８を突設しているので、巻き取った後の基準糸４をこの切断突部１８で切断することができる。従って、ハサミやナイフなどの工具を使用する必要がなく、作業性がさらに向上する。また、切断突部１８を固定凹部１７に近接して設けているので、基準糸４を巻取後、その近傍部分を切断することができる。よって、基準糸４に無駄が生じない。
【００２０】
なお、この切断突部１８は、一対の固定凹部１７の中間部に突設しているので、当該固定凹部１７に巻き取られた基準糸４がこの切断突部１８に当接し、これによってずれて緩んだり、外れてしまうといった事態が未然に防止される。
【発明を実施するための最良の形態】
【００２１】
本発明に係る糸張り補助具１０の実施形態を、図１乃至図４に示す。これは、下水道工事などの土木建築作業において、杭棒２と水平板３とで構成される複数の杭部材１間に基準糸４を張る際に、当該杭部材１の水平板３に着脱自在で、かつ、長手方向（左右方向）にスライド自在に取付けられるものである。
【００２２】
この補助具１０は、金属バネや硬質樹脂などの弾性材製で、底壁１２の前後両端部から縦壁１３を立設した側面略Ｕ字状の弾性基枠１１の各縦壁１３の上端部に外向爪部１４を設けている。
【００２３】
そして、弾性基枠１１の中央上端部に、基準糸４を固定し、または巻取るための短尺棒状の固定巻取部１５を突設すると共に、その下位である中央下端部に基準糸４の横ずれを防止するための基準切欠部１６を形成している。
【００２４】
また、弾性基枠１１を構成する縦壁１３の上角端部に、基準糸４を固定するための固定凹部１７を対向して一対設けている。さらに、おなじ縦壁１３の、前記一対の固定凹部１７の中間部に、基準糸４を切断し、かつ、当該一対の固定凹部１７に固定した基準糸４がずれるのを防止するための切断突部１８を突設している。
【００２５】
この固定凹部１７と切断突部１８は、両方の縦壁１３に設けることもできるし、片方の縦壁１３のみに設けることもできるが、より高い作業性を考慮すると両方の縦壁１３に設けることが望ましい。
【００２６】
この糸張り補助具１０は、次のようにして使用する。まず、所定間隔をあけて地面に複数立てられた杭部材１のそれぞれの水平板３に補助具１０を取付ける。この取付けは、外向爪部１４を掴んで（１４間の隙間）水平板３の下縁を挟むようにして行う。水平板３に対する組付きは、弾性基枠１１の弾性復帰力によって維持される。
【００２７】
次に、一方の杭部材１に取付けた補助具１０の固定巻取部１５に、基準糸４の一端部を固定する。なお、基準糸４は、その先端部を一対の固定凹部１５に巻き付けて固定した後、固定巻取部１５にも巻き付けて固定することもできる。
【００２８】
続いて、その基準糸４を、基準切欠部１６を通過させた状態で、隣接する杭部材１に取付けた補助部１０まで到達させ、その補助部１０の基準切欠部１６を通した後、固定巻取部１５を介して一対の固定凹部１７に巻き付けて固定する。巻き付けた後、基準糸４の他端部を切断突部１８で切断する。こうした作業を繰り返して、複数の杭部材１間に基準糸４を張る。
【００２９】
ここで、基準糸４を左右方向にずらす必要が生じた場合、補助具１０の外向爪部１４を掴んで弾性基枠１１の上端開口部１１ａを広げ、水平板３に沿ってスライドさせ、適切な位置で手を離す。これによって、基準糸４を適切な位置に移動させることができる。
【００３０】
従って、従来のように水平板３に釘を打つ作業と、基準糸４をずらす必要が生じた場合に、釘を打ち直す作業を不要とするので、作業性を大幅に向上させることができる。また、補助具１０の取付けおよびスライド移動も容易であるので、これによっても作業性に優れる。なお、補助具１０の水平板３からの取外しも容易に行うことができる。
【００３１】
なお、本実施形態では、一対の固定凹部１７を設け、それに近接して切断突部１８を設けているので、固定凹部１７に固定した基準糸４を、その近傍で容易に切断することができる。従って、ハサミやナイフなどの工具を使用する必要がなく、作業性がさらに向上する。また、基準糸４を固定した部分の近傍で切断することができるので、基準糸４を無駄にしない。
【００３２】
また、この実施形態では、基準糸４の両端部または一方端部を、固定巻取部１５と固定凹部１７の両方で固定することができるので、基準糸４を確実に固定することができ、緩みや外れを防止することができる。
【００３３】
なお、弾性基枠１１に設けた基準切欠部１６によって、当該弾性基枠１１と水平板３との間には必然的に段差が生じ、よって、ここを通る基準糸４の左右方向のずれが防止される。また、この基準切欠部１６は、固定巻取部１５の真下に設けているので、基準糸４のずれは、さらに効果的に防止される。
【００３４】
本実施形態に係る糸張り補助具１０の特徴を、さらにまとめると以下の通りである。
（イ）釘が不要であり、それを打ち付ける金槌などの工具も不要である。
（ロ）いわゆるワンタッチで取付けることができる。
（ハ）基準糸４を切断するための工具が不要である。
（ニ）簡単に左右横方向にスライド移動させることができる。
（ホ）取り外しが簡単である。
（ヘ）基準糸４の固定（止め）が簡単である。
（ト）基準糸４を確実に固定することができる。
【図面の簡単な説明】
【００３５】
【図１】本発明の実施形態に係る糸張り補助具によって基準糸を張った状態を示す斜視図である。
【図２】本発明の実施形態に係る糸張り補助具を杭部材の水平板に取付けた状態を示す斜視図である。
【図３】図２に示す糸張り補助具の正面図である。
【図４】図２に示す糸張り補助具の左側面図である。
【符号の説明】
【００３６】
１        杭部材
２        杭棒
３        水平板
４        基準糸
１０      糸張り補助具
１１      弾性基枠
１１ａ    上端開口部
１２      底壁
１３      縦壁
１４      外向爪部
１５      固定巻取部
１６      基準切欠部
１７      固定凹部
１８      切断突部
【図１】
2006307550.tif 000003
【図２】
2006307550.tif 000004
【図３】
2006307550.tif 000005
【図４】
2006307550.tif 000006